(57)【要約】【課題】画像面積率の高い画像に対して定着品質を保つことができる画像形成装置を提供する。【解決手段】出力画像の画素数を計測し、出力用紙との比率から画像面積率を算出すると共に、画像面積率が高い画像を出力する場合には、定着搬送速度を通常時よりも遅くする定着速度制御部１３及びこれを制御するＣＰＵ１を備えた。【選択図】      図１
2004219582.tif 000002
【特許請求の範囲】
【請求項１】
出力画像の画素数を計測し、出力用紙との面積比率から画像面積率を算出すると共に、画像面積率が所定値よりも高い画像を出力する場合には、定着搬送速度を通常時よりも遅くする定着速度制御部及びこれを制御するＣＰＵを備えたことを特徴とする画像形成装置。
【請求項２】
請求項１記載の画像形成装置において、定着搬送速度は任意に設定可能であることを特徴とする画像形成装置。
【請求項３】
請求項１記載の画像形成装置において、画像面積率計測後に搬送速度を調整する場合の画像面積率の度合いは、任意に設定可能であることを特徴とする画像形成装置。
【請求項４】
請求項３記載の画像形成装置において、画像面積率が高いと判断した場合、同時に通紙枚数を考慮し、当該画像面積率以上の画像による一定枚数以上の通紙が行われたときに、定着搬送速度の変更を行うか否かを判断することを特徴とする画像形成装置。
【請求項５】
請求項４記載の画像形成装置において、一定枚数は任意に設定可能であることを特徴とする画像形成装置。
【請求項６】
請求項１記載の画像形成装置において、画像面積と枚数を認識する場合に、得られる情報に一定の範囲における段階を設けることを特徴とする画像形成装置。
【請求項７】
請求項５記載の画像形成装置において、複数段階に分類して画像面積を認識する場合には、定着搬送速度の調整も、対応して複数段階自動的に行われることを特徴とする画像形成装置。
【請求項８】
請求項７記載の画像形成装置において、複数段階に応じた、複数段階の調整は、それぞれ任意に設定可能であることを特徴とする画像形成装置。
【請求項９】
請求項４及び７記載の画像形成装置において、定着速度変更を行うか否かをそれぞれ任意に設定可能であることを特徴とする画像形成装置。
【発明の詳細な説明】
【０００１】
【発明の属する技術分野】
本発明は、画像形成装置に関し、特に高画像面積率の画像を形成する際における定着搬送制御技術に関するものである。
【０００２】
【従来の技術】
出力画像の画素数を計測し、出力用紙面積との比率から画像面積率を算出し、画像面積率によって定着温度の制御値を決定する技術が存在する（例えば、特許文献１参照）。また、画像面積率を用いて定着部の離型剤の量を調整する技術が提案されている（例えば、特許文献２参照）。
【特許文献１】特開平０９−１１４３０８号公報
【特許文献２】特開平０６−１７５４５７号公報
【０００３】
【発明が解決しようとする課題】
しかし、離型剤の量が増せば紙や転写体に付着する離型剤の量も増し、出力画像に悪影響を及ぼし、また転写体クリーニングの必要が生じるなど、他の問題が発生する。また、定着温度は変化が緩慢であり調整修了までに時間がかかる。
本発明は、画像面積率の高い画像に対して定着品質を保つことができる画像形成装置を提供することを目的とする。
【０００４】
【課題を解決するための手段】
上記目的を達成するために、請求項１記載の発明は、出力画像の画素数を計測し、出力用紙との比率から画像面積率を算出すると共に、画像面積率が高い画像を出力する場合には、定着搬送速度を通常時よりも遅くする定着速度制御部及びこれを制御するＣＰＵを備えた画像形成装置を最も主要な特徴とする。
請求項２記載の発明は、請求項１記載の画像形成装置において、定着搬送速度は任意に設定可能である画像形成装置を主要な特徴とする。
請求項３記載の発明は、請求項１記載の画像形成装置において、画像面積率計測後に搬送速度を調整する場合の画像面積率の度合いは、任意に設定可能である画像形成装置を主要な特徴とする。
請求項４記載の発明は、請求項３記載の画像形成装置において、画像面積率が高いと判断した場合、同時に通紙枚数を考慮し、当該画像面積率以上の画像による一定枚数以上の通紙が行われたときに、定着搬送速度の変更を行うか否かを判断する画像形成装置を主要な特徴とする。
請求項５記載の発明は、請求項４記載の画像形成装置において、一定枚数は任意に設定可能である画像形成装置を主要な特徴とする。
請求項６記載の発明は、請求項１記載の画像形成装置において、画像面積と枚数を認識する場合に、得られる情報に一定の範囲における段階を設ける画像形成装置を主要な特徴とする。
請求項７記載の発明は、請求項５記載の画像形成装置において、複数段階に分類して画像面積を認識する場合には、定着搬送速度の調整も、対応して複数段階自動的に行われる画像形成装置を主要な特徴とする。
請求項８記載の発明は、請求項７記載の画像形成装置において、複数段階に応じた、複数段階の調整は、それぞれ任意に設定可能である画像形成装置を主要な特徴とする。
請求項９記載の発明は、請求項４及び７記載の画像形成装置において、定着速度変更を行うか否かをそれぞれ任意に設定可能である画像形成装置を主要な特徴とする。
【０００５】
【発明の実施の形態】
以下、図面により本発明の実施の形態を詳細に説明する。図１は本発明の実施の形態に係る画像形成装置のブロック構成図である。図１において、ＣＰＵ１は、ＲＯＭ２内のプログラムに従って本装置の各部を制御し、本発明の処理を実行する。ＲＯＭ２には、基本プログラムや、本発明の処理プログラムなどが格納されている。ＲＡＭ３は、ワークエリアが形成されて、本装置の制御に必要な種々のデータが記憶される。スキャナ４は原稿を読み取る。プロッタ５はコピーや受信原稿の印字を行なう。
操作表示制御部６は、ユーザからの操作を入力し、情報をユーザに伝える。通信制御部（ＣＣＵ）７は、相手画像形成装置との間でファクシミリ制御信号を交換し、ファクシミリ通信手順を実行する。モデム８は送信信号の変調、受信信号の復調を行なう。ＳＡＦ（Ｓｔｏｒｅ  ＡＮＤ  Ｆｏｒｗａｒｄ）メモリ９は画像の蓄積を行なう。
符号化復号化部（ＤＣＲ）１０は、画情報を所定の符号化方式に従って符号化し、また、符号化された画情報を復号化する。網制御部（ＮＣＵ）１１は通信回線の制御を行なう。ネットワークインタフェース制御部１２はネットワークの制御を行う。定着速度制御部１３は画像面積率を認識して定着部搬送速度を調整する。上記各手段はバス１４により互いに接続されている。
【０００６】
図２は本発明の画像形成装置における制御動作を示すフロー図である。画像出力開始時に（Ｓ１）、定着速度制御部１３は画素をカウントし同時に使用する紙サイズを考慮することで、出力画像の画像面積率を計測する（Ｓ２）。この画像面積率の値が予め設定された値以上である場合には、高面積率画像であると判断する。他の設定がなければ定着速度制御部１３は、定着部の搬送速度を予め設定された搬送速度に設定して出力を行う。
通紙枚数を考慮する設定がなされている場合には（Ｓ３ではい）、定着速度制御部１３は、画像面積率計測と同時に高面積率画像の通紙枚数も計測する。この通紙枚数が予め設定された枚数を超えた場合に、定着速度制御部１３は定着部の搬送速度を変更する。高面積率画像の中でも、面積率、通紙枚数の組み合わせは多数存在するはずである。さらに詳細な速度制御を行う旨が設定されている場合にはこれらを考慮し、定着速度制御部１３はこれらを複数の段階として整理する。例えば、何％の画像面積率を持つ画像を何枚通紙という具合である。
この場合には、予めの設定による複数段階におけるそれぞれの搬送速度を用いて、定着速度制御部１３は、当該段階に適した搬送速度を設定し、定着部の搬送速度の調整を行う。なお、上記の判断に当たらない画像を出力する場合には、定着速度制御部１３は、通常時の搬送速度を設定して画像出力を行う（以上Ｓ４〜Ｓ１０）。
具体的には、画像面積率が高い画像の出力時には、定着搬送速度を下げることで、出力画像と定着部との接離時間に余裕を生じさせ、定着部への巻き付きを防止することが可能となる。
【０００７】
また、画像面積率がどの程度で高いと判断するのかを任意に設定することで、機械個々の持つ定着の特性に応じた調整を行うことが可能となる。
また、画像面積率が高い場合の定着搬送速度の調整に際し、通紙する枚数を設定することによって、搬送速度を可能な限り通常通りとし、生産性を向上させることが可能となる。
また、通紙枚数を任意に調整することにより、速度調整を行うための必要枚数の設定が可能となり、機械個別の特性を考慮した設定等を行うことにより、より当該機械に即した生産性向上を図ることが可能となる。
また、画像面積と枚数とを認識する際に、得られる情報に一定の範囲における段階を設けることにより、画像面積率が高いものの中でも、どの程度の面積率を持つ画像がどの程度の枚数出力されるのかということを認識することが可能となる。
また、複数段階に分類して画像面積を認識する場合には、定着速度の調整についてもこれに対応させて複数段階自動的に行うことにより、画像面積率によって適切な速度による定着搬送速度を自動的に選択することが可能となる。
また、画像面積のそれぞれの段階において必要、かつ十分な速度変更値を設定することにより、最適な調整を行うことが可能となる。
定着速度変更を行うか否かを夫々任意に設定可能としたことにより、より詳細な計測分類による速度変更を行うか否かを任意に選択することが可能となる。
【０００８】
【発明の効果】
以上説明したように、請求項１によれば、画像面積率が高い画像の出力時には、定着搬送速度を下げることで、出力画像と定着部との接離時間に余裕が生じ、定着部への巻き付きを防止することが可能となる。
請求項２によれば、定着搬送速度を、適切な状態に変更することが可能となる。
請求項３によれば、画像面積率がどの程度で高いと判断するのかを任意に設定することで、機械個々の持つ定着の特性に応じた調整を行うことが可能となる。
請求項４によれば、定着搬送速度の調整に際し、通紙する枚数を設定することによって、搬送速度を可能な限り通常通りとし、生産性を向上させることが可能となる。
請求項５によれば、速度調整を行うための必要枚数の設定が可能となり、機械個別の特性を考慮した設定等を行うことにより、より当該機械に即した生産性向上を図ることが可能となる。
請求項６によれば、画像面積率が高いものの中でも、どの程度の面積率を持つ画像がどの程度の枚数出力されるのかということを認識することが可能となる。
請求項７によれば、画像面積率によって適切な速度による定着搬送速度を自動的に選択することが可能となる。
請求項８によれば、それぞれの段階において必要、かつ十分な速度変更値を設定することにより、最適な調整を行うことが可能となる。
請求項９によれば、より詳細な計測分類による速度変更を行うか否かを任意に選択することが可能となる。
【図面の簡単な説明】
【図１】本発明の実施の形態に係る画像形成装置のブロック構成図である。
【図２】本発明の画像形成装置における制御動作を示すフロー図である。
【符号の説明】
１  ＣＰＵ
１３  定着制御部
【図１】
2004219582.tif 000003
【図２】
2004219582.tif 000004